(57)【特許請求の範囲】
【請求項１】
電灯線を介して、通信端末へ送信される電灯線搬送信号を伝送するＡＣアダプタ一体型電灯線カプラであって、
前記電灯線に接続自在なプラグ部と、
前記プラグ部に接続され、前記電灯線の交流電圧を直流電圧に変換し、前記通信端末に電源供給を行う電灯線電源変換供給部と、
電灯線搬送信号を、前記電灯線の交流電圧から抽出する電灯線搬送信号結合部と、
前記プラグ部と前記電灯線電源変換供給部との間に配置され、前記電灯線電源変換供給部より発生するノイズを濾波するフィルタ部と、
前記電灯線搬送信号結合部から抽出された電灯線搬送信号を、前記電灯線電源変換供給部で変換された直流電圧に重畳する信号合成分離部と、
を備えたＡＣアダプタ一体型電灯線カプラ。
【請求項２】
請求項１記載のＡＣアダプタ一体型電灯線カプラであって、更に、
前記電灯線電源変換供給部から電源を供給され、前記電灯線搬送信号結合部から抽出された電灯線搬送信号の復調を行う電灯線モデムを備えたＡＣアダプタ一体型電灯線カプラ。
【発明の詳細な説明】
【０００１】
【発明の属する技術分野】
近年、小規模オフィスや家庭においてローカルエリアネットワークを簡単・安価に構築する要望が高まっている。本発明は、ローカルエリアネットワークを簡単・安価に構築することのできる電灯線通信装置に適用されるＡＣアダプタ一体型電灯線カプラに関するものである。
【０００２】
【従来の技術】
従来、ローカルエリアネットワークを構築するには、通信用の専用線を配線する方法がとられてきた。また、通信用の専用線を用いず、無線や電灯線を用いてローカルエリアネットワークを構築する例も近年増加してきている。電灯線通信では、通信を行う通信機器への電源の供給を行うための電灯線電源変換供給部（ＡＣアダプタなど）や、通信信号を電灯線に送受信するための電灯線搬送信号結合部（電灯線カプラ）をそれぞれ用意する必要があった。
【０００３】
以下に従来の電灯線通信機器について説明する。図１は従来の電灯線通信機器の構成図である。通信端末１は通信端末１に電源を供給するＡＣアダプタ２と、通信信号を変復調する電灯線モデム５および電灯線に送受信する電灯線カプラ３とに接続される。電灯線通信を行う場合には、ＡＣアダプタ２と電灯線モデム５、電灯線カプラ３を接続して使用される。
【０００４】
【発明が解決しようとする課題】
しかしながら、上記従来の方法および構成法では、以下の問題を有していた。
【０００５】
（１）通信端末１で電灯線通信を行うためには、ＡＣアダプタ２と電灯線モデム５、電灯線カプラ３をそれぞれ通信端末１に個別に接続する必要があり、接続操作が繁雑になって、通信端末１を移動させる場合等のハンドリング性や操作性に欠けるという課題があった。
【０００６】
（２）接続して使用(占有)する電灯線コンセントを少なくとも２個必要とし、配線が入り組んで見栄えが悪く、デザイン性に欠けるなどの問題を有していた。
【０００７】
本発明は上記課題を解決するためになされたもので、通信端末を含む装置の配置構成を単純化して小型化できると共に、取り扱い性や見栄えの向上など図ることができるＡＣアダプタ一体型電灯線カプラを提供することを目的とする。
【０００８】
【課題を解決するための手段】
上記課題を解決するために本発明のＡＣアダプタ一体型電灯線カプラは、電灯線を介して、通信端末へ送信される電灯線搬送信号を伝送するＡＣアダプタ一体型電灯線カプラであって、前記電灯線に接続自在なプラグ部と、前記プラグ部に接続され、前記電灯線の交流電圧を直流電圧に変換し、前記通信端末に電源供給を行う電灯線電源変換供給部と、電灯線搬送信号を、前記電灯線の交流電圧から抽出する電灯線搬送信号結合部と、前記プラグ部と前記電灯線電源変換供給部との間に配置され、前記電灯線電源変換供給部より発生するノイズを濾波するフィルタ部と、前記電灯線搬送信号結合部から抽出された電灯線搬送信号を、前記電灯線電源変換供給部で変換された直流電圧に重畳する信号合成分離部と、を備える。
プラグ部と電灯線電源変換供給部との間にフィルタ部を配置することによって、電灯線電源変換供給部より発生するノイズが電灯線搬送通信信号に影響を与えることを防止できるので、信号対雑音比を高く保つことができ、高速通信を実現することが可能になる。
【０００９】
請求項１に記載のＡＣアダプタ一体型電灯線カプラは、電灯線を介して、通信端末へ送信される電灯線搬送信号を伝送するＡＣアダプタ一体型電灯線カプラであって、前記電灯線に接続自在なプラグ部と、前記プラグ部に接続され、前記電灯線の交流電圧を直流電圧に変換し、前記通信端末に電源供給を行う電灯線電源変換供給部と、電灯線搬送信号を、前記電灯線の交流電圧から抽出する電灯線搬送信号結合部と、前記プラグ部と前記電灯線電源変換供給部との間に配置され、前記電灯線電源変換供給部より発生するノイズを濾波するフィルタ部と、前記電灯線搬送信号結合部から抽出された電灯線搬送信号を、前記電灯線電源変換供給部で変換された直流電圧に重畳する信号合成分離部と、を備えたＡＣアダプタ一体型電灯線カプラである。
【００１０】
この構成によって、以下の作用を有する。
【００１１】
（ａ）プラグ部と電灯線電源変換供給部との間にフィルタ部を配置することによって、電灯線電源変換供給部より発生するノイズが電灯線搬送通信信号に影響を与えることを防止できるので、信号対雑音比を高く保つことができ、高速通信を実現することが可能になる。
【００１２】
（ｂ）通信端末周りの周辺機器の配置構成を単純化でき、見栄えやデザイン性などを向上させることができる。
【００１３】
（ｃ）接続される電灯線コンセントが一つでよいので、通信装置の設定が極めて容易にでき、コンセント周りの点検や掃除等のメンテナンス性に優れている。
【００１４】
ここで、電灯線電源変換供給部は、電灯線コンセントからプラグ部を介して供給される交流電力を直接所定電圧の直流に変換したり、充電器に充電したりするための変換器や充電器を備えた電源部であり、これを電源として通信端末が駆動される。
ここでフィルタ部は、例えばチョークコイルなどで構成された回路部であり、低周波数の交流は通過させるが電灯線通信用信号などの高周波の信号は高インピーダンスとなって通過させないような濾波特性を有する。また、この濾波特性によって電灯線電源変換供給部で発生した高周波雑音を外部に漏らさないようにしている。
【００１５】
電灯線搬送信号結合部は電灯線を介して搬送される信号を電灯線に送受信する機能を有する。電灯線搬送信号結合部には必要に応じて通信信号を変復調する電灯線モデムなどが含まれ、電灯線モデムはアナログ信号をデジタル信号に変換する機能を有した変復調装置である。
【００１６】
ケーシング部はアルミやスチールなどの金属類やポリエチレン、ポリカーボネイトなどのプラスチック類などからなる容器体であって、電灯線電源変換供給部及び電灯線搬送信号結合部が一体に内蔵され、外部の通信端末に接続されるそれぞれの端子部やケーブル部を備えている。
【００１８】
更に、以下の作用を有する。
【００１９】
（ｄ）電灯線電源変換供給部が、電灯線の交流電圧を直流電圧に変換することによって、通信機器に直流電圧を供給することが可能になる。
【００２１】
ここでフィルタ部は、例えばチョークコイルなどで構成された回路部であり、低周波数の交流は通過させるが電灯線通信用信号などの高周波の信号は高インピーダンスとなって通過させないような濾波特性を有する。また、この濾波特性によって電灯線電源変換供給部で発生した高周波雑音を外部に漏らさないようにしている。
【００２３】
更に、以下の作用を有する。
【００２４】
（ｅ）電灯線電源変換供給部で変換された直流電圧に対して、電灯線搬送信号結合部から抽出された電灯線搬送信号を重畳する信号合成分離部を備えているので、ＡＣアダプタ一体型電灯線カプラと通信端末を接続するケーブルの本数を削減できるという作用を有する。
【００２５】
ここで、信号合成分離部は、例えばチョークコイルなどを備えた回路部やインダクタンスで構成され、電灯線電源などの低周波信号は通過し、電灯線通信用信号などの高周波信号は通過しない濾波特性を有したものが用いられる。
【００２６】
請求項２に記載のＡＣアダプタ一体型電灯線カプラは、請求項１記載のＡＣアダプタ一体型電灯線カプラであって、更に、前記電灯線電源変換供給部から電源を供給され、前記電灯線搬送信号結合部から抽出された電灯線搬送信号の復調を行う電灯線モデムを備えたＡＣアダプタ一体型電灯線カプラである。
【００２７】
この構成によって、請求項１の作用に加えて以下の作用を有する。
【００２８】
（ａ）電灯線モデムがケーシング部内に取り込まれているので、電灯線通信を行う場合に必要となる機器数を削減できるという作用を有する。
【００２９】
（ｂ）ケーシング部内の電灯線電源変換供給部から供給される電力によって、電灯線モデムが駆動されるので、回路構成が単純化されると共にＡＣアダプタ一体型電灯線カプラを効率的に動作させることができる。
【００３０】
（ｃ）通信端末に組み込む回路を簡略にすることができる。
【００３１】
続いて本発明の実施の形態について、図面を参照しながら説明する。
【００３２】
（実施の形態１）
図２は、本発明の実施の形態１のＡＣアダプタ一体型電灯線カプラが適用される電灯線通信機器の構成図である。
【００３３】
図２において、１は電灯線を介して搬送される信号の処理を行う通信端末、５は電灯線モデム、６は電灯線通信信号を電灯線に送受信する電灯線搬送信号結合部である電灯線カプラ及び通信端末１にその駆動用電力を供給するための電灯線電源変換供給部が内蔵されたＡＣアダプタ一体型電灯線カプラのケーシング部、４は電灯線コンセントに接続されて用いられるＡＣアダプタ一体型電灯線カプラのプラグ部である。
【００３４】
図３は本発明の実施の形態１のＡＣアダプタ一体型電灯線カプラのブロック図である。図３において、７はプラグ部４に接続された電灯線電源変換供給部（電源作成部）、８は電源作成部７と並列にプラグ部４に接続された電灯線カプラである。
【００３５】
以上のように構成された実施の形態１のＡＣアダプタ一体型電灯線カプラについて、以下その動作を説明する。プラグ部４は図示しない電灯線コンセントに接続されて、電源作成部７により通信端末１を駆動させる商用交流電源を得ると同時に電灯線カプラ８によって電灯線通信用の信号を送受信するように構成されている。
【００３６】
すなわち、プラグ部４に接続された電源作成部７は、商用交流電源から通信端末１で必要な電源を作成し、通信端末１に供給する。また、プラグ部４に同様に接続された電灯線カプラ８は、電灯線通信用の電灯線モデム５に接続される。
【００３７】
これによって、電灯線カプラ８は、受信中には電灯線通信用の信号をプラグ部４から抽出し、電灯線モデム５に信号を供給する。送信中には電灯線モデム５から受けた信号を電灯線に重畳させる。
【００３８】
実施の形態１のＡＣアダプタ一体型電灯線カプラは以上のように構成されているので、以下の作用を有する。
【００３９】
（ａ）電源作成部７及び電灯線カプラ８がケーシング部６内に内蔵させているので、通信端末１周辺の配線を単純化でき、取り扱い性や見栄えの向上を行うことができる。
【００４０】
（ｂ）電灯線カプラ８がケーシング部６内に取り込まれているので、電灯線通信を行う場合に必要となる機器数を削減できるという作用を有する。
【００４１】
（ｃ）接続される電灯線コンセントが一つでよいので、通信装置の設定が極めて容易にでき、コンセント周りの点検や掃除等のメンテナンス性に優れている。
【００４２】
（ｄ）ケーシング部６内の電源作成部７から供給される電力によって、電灯線カプラ８を作動させることもできるので、ＡＣアダプタ一体型電灯線カプラを効率的に動作させることができる。
【００４３】
（実施の形態２）
図４は本発明の実施の形態２のＡＣアダプタ一体型電灯線カプラのブロック図である。図４において、９は通信端末１に電源を供給する電源作成部７と電灯線コンセントに接続されるプラグ部４との間に接続配置されたフィルタ部である。
【００４４】
なお、実施の形態２のＡＣアダプタ一体型電灯線カプラは実施の形態１のＡＣアダプタ一体型電灯線カプラにフィルタ部９を付加した点で相違している。その他の構成は実施の形態１と同様であるので、実施の形態１と同様の機能を有するものについては同一の符号を付して説明を省略する。
【００４５】
以上のように構成された実施の形態２のＡＣアダプタ一体型電灯線カプラについて、以下その動作を説明する。
【００４６】
プラグ部４は、電灯線コンセントに接続され、商用交流電源商用交流電源を得ると同時に電灯線通信用の信号を送受信する。プラグ部４に接続されたフィルタ部９は、商用交流などの低周波数は通過するが、電灯線通信用信号などの高周波帯では、高インピーダンスとなり信号を通過させない特性を有する。また、電源作成部７で発生した高周波雑音を外部に漏らさない特性をもつ。このように、フィルタ部９を挿入することにより、電源作成部７が、電灯線通信用の信号に影響を与えにくくすることができる。フィルタ部９はチョークコイルなどで構成される。電源作成部７は、フィルタ部９を通過した商用交流電源から通信端末で必要な電源を作成する。
【００４７】
実施の形態２のＡＣアダプタ一体型電灯線カプラは以上のように構成されているので、実施の形態１の作用に加えて以下の作用を有する。
【００４８】
（ａ）フィルタ部９を備えているので、電灯線カプラ８と並列接続された電源作成部７で発生した雑音がフィルタ部９で除去され、通信端末１との間で高速通信を行うことができる。
【００４９】
（ｂ）電灯線通信に用いる高周波信号が電灯線電源変換供給部７に流れ込むのを防止できるので、信号対雑音電力比を高く保つことができ、高速通信を行うことができる。
【００５０】
（実施の形態３）
図５は本発明の実施の形態３のＡＣアダプタ一体型電灯線カプラのブロック図である。図５において、１０は電源作成部７と電灯線カプラ８に接続された信号合成分離部である。
【００５１】
なお、実施の形態３のＡＣアダプタ一体型電灯線カプラは実施の形態２のＡＣアダプタ一体型電灯線カプラに信号合成分離部１０が付加されている点で相違している。その他の構成は実施の形態２のものと同様であるので、実施の形態２と同様の機能を有するものについては同一の符号を付して説明を省略する。
【００５２】
以上のように構成されたＡＣアダプタ一体型電灯線カプラについて、以下その動作を説明する。プラグ部４は、電灯線コンセントに接続され、商用交流電源を得ると同時に電灯線通信用の信号を送受信する。プラグ部４に接続されたフィルタ部９は、商用交流などの低周波数は通過するが、電灯線通信用信号などの高周波帯では、高インピーダンスとなり信号を通過させない特性を有する。また、電源作成部７で発生した高周波雑音を外部に漏らさない特性をもつ。このように、フィルタ部９を挿入することにより、電源作成部７が、電灯線通信用の信号に影響を与えにくくなる。ここでフィルタ部９はチョークコイルなどで構成され、電源作成部７は、フィルタ部９を通過した商用交流電源から通信端末１で必要な電源を作成するようになっている。
【００５３】
また、プラグ部４に同様に接続された電灯線カプラ８は、受信中には、電灯線通信用の信号を電灯線から抽出し、送信中には信号を電灯線に重畳する。
【００５４】
信号合成分離部１０は、電灯線から受信中には電源作成部７からの直流電圧と電灯線カプラからの高周波信号を合成し、通信端末１側の信号合成分離部１０と接続されたケーブルに出力する。通信端末１側では、直流電圧と電灯線通信用の信号の周波数が異なるため分離することができる。
【００５５】
送信中には通信端末１側に備えた信号合成分離部１０からの信号から電灯線通信用の高周波信号を抽出し、電灯線カプラ８に供給する。例えば、信号合成分離部１０は、電灯線からの低周波信号は通過し、電灯線通信用信号などの高周波信号は通過しないチョークコイルなどが用いられる。
【００５６】
実施の形態３のＡＣアダプタ一体型電灯線カプラは以上のように構成されているので、実施の形態１及び２の作用に加えて以下の作用を有する。
【００５７】
電源作成部７と電灯線カプラ８に加えて、電灯線カプラ８からの高周波信号を同一ケーブル上で重畳分離させる信号合成分離部１０がケーシング部６内に一体に保持されるので、ＡＣアダプタ一体型電灯線カプラと通信端末１を接続するケーブル数を削減することができ、ハンドリング性などに優れている。
【００５８】
（実施の形態４）
図６は、本発明の実施の形態４のＡＣアダプタ一体型電灯線カプラのブロック図である。図６において、１１は電灯線カプラ８に接続されケーシング部６に内蔵された電灯線モデムである。
【００５９】
なお、実施の形態４のＡＣアダプタ一体型電灯線カプラは実施の形態２のＡＣアダプタ一体型電灯線カプラに電灯線モデム１１が付加されている点で相違している。その他の構成は実施の形態２のものと同様であるので、実施の形態２と同様の機能を有するものについては同一の符号を付して説明を省略する。
【００６０】
以上のように構成されたＡＣアダプタ一体型電灯線カプラについて、以下その動作を説明する。プラグ部４は電灯線コンセントに接続され、商用交流電源を得ると同時に電灯線通信用の信号を送受信する。プラグ部４に電源作成部７及びフィルタ部９と並列に接続された電灯線カプラ８は、受信中には、電灯線通信用の信号を電灯線から抽出し、送信中には信号を電灯線に重畳させるようになっている。電灯線モデム１１は電灯線カプラ８に接続され、電灯線通信信号の変復調を行う。電灯線モデム１１はＵＳＢやイーサネットなどで通信端末と接続される。以上のように構成することで、電灯線通信を行う場合に必要となる機器を１つにすることができる。
【００６１】
実施の形態４のＡＣアダプタ一体型電灯線カプラは以上のように構成されているので、実施の形態１及び２の作用に加えて以下の作用を有する。
【００６２】
（ａ）電灯線モデム１１がケーシング部６内に取り込まれているので、電灯線通信を行う場合に必要となる機器数をさらに削減できるという作用を有する。
【００６３】
（ｂ）ケーシング部６内の電源作成部７から供給される電力によって、電灯線カプラ８などが駆動されるので、回路構成が単純化されると共にＡＣアダプタ一体型電灯線カプラを効率的に動作させることができる。
【００６４】
【発明の効果】
以上のように本発明によれば、通信端末で必要となる電源を供給する電灯線電源変換供給部（ＡＣアダプタ）と、電灯線通信に用いる電灯線搬送信号結合部（電灯線カプラ）を一体化とすることにより、取り扱い性の向上、機器の小型化、見栄えの向上などを行うことができる。また、一体化時にフィルタ部を挿入することにより、電灯線電源変換供給部が電灯線通信信号に与える影響を低減することができる。
【００６５】
請求項１に記載のＡＣアダプタ一体型電灯線カプラによれば、以下の効果を有する。
【００６６】
（ａ）プラグ部と電灯線電源変換供給部との間にフィルタ部を配置することによって、電灯線電源変換供給部より発生するノイズが電灯線搬送通信信号に影響を与えることを防止できるので、信号対雑音比を高く保つことができ、高速通信を実現することが可能になる。
【００６７】
（ｂ）通信端末周りの周辺機器の配置構成を単純化でき、見栄えやデザイン性などを向上させることができる。
【００６８】
（ｃ）接続される電灯線コンセントが一つでよいので、通信装置の設定が極めて容易にでき、コンセント周りの点検や掃除等のメンテナンス性に優れている。
【００６９】
更に、以下の効果を有する。
【００７０】
（ｄ）電灯線電源変換供給部が、電灯線の交流電圧を直流電圧に変換することによって、通信機器に直流電圧を供給することが可能になる。
【００７２】
更に、以下の効果を有する。
【００７３】
（ｅ）電灯線電源変換供給部で変換された直流電圧に対して、電灯線搬送信号結合部から抽出された電灯線搬送信号を重畳する信号合成分離部を備えているので、ＡＣアダプタ一体型電灯線カプラと通信端末を接続するケーブルの本数を削減できるという作用を有する。
【００７４】
請求項２に記載のＡＣアダプタ一体型電灯線カプラによれば、請求項１の効果に加えて以下の効果を有する。
【００７５】
（ａ）電灯線モデムがケーシング部内に取り込まれているので、電灯線通信を行う場合に必要となる機器数を削減できるという作用を有する。
【００７６】
（ｂ）ケーシング部内の電灯線電源変換供給部から供給される電力によって、電灯線モデムが駆動されるので、回路構成が単純化されると共にＡＣアダプタ一体型電灯線カプラを効率的に動作させることができる。
【００７７】
（ｃ）通信端末に組み込む回路を簡略にすることができる。
【図面の簡単な説明】
【図１】従来の電灯線通信機器の構成図
【図２】本発明の実施の形態１のＡＣアダプタ一体型電灯線カプラが適用される電灯線通信機器の構成図
【図３】本発明の実施の形態１のＡＣアダプタ一体型電灯線カプラのブロック図
【図４】本発明の実施の形態２のＡＣアダプタ一体型電灯線カプラのブロック図
【図５】本発明の実施の形態３のＡＣアダプタ一体型電灯線カプラのブロック図
【図６】本発明の実施の形態４のＡＣアダプタ一体型電灯線カプラのブロック図
【符号の説明】
１  通信端末
２  ＡＣアダプタ
３  電灯線カプラ
４  プラグ部
５  電灯線モデム
６  ケーシング部
７  電源作成部（電灯線電源変換供給部）
８  電灯線カプラ
９  フィルタ部
１０  信号合成分離部
１１  電灯線モデム
【図１】
0004100074.tif 000002
【図２】
0004100074.tif 000003
【図３】
0004100074.tif 000004
【図４】
0004100074.tif 000005
【図５】
0004100074.tif 000006
【図６】
0004100074.tif 000007